(57)【要約】      （修正有）【課題】1つのスケジュールボードに表示される不必要な諸情報を無くして有効な情報のみを表示してボードを有効に活用し、更には使い勝手が良い様に軽量にするスケジュールボードを提供する。【解決手段】複数の単位ボード２と、該複数の単位ボード２の表示面３を一方向に向けて一列に順に並べつつ所定方向に移動させることが出来る表示枠４とを有するスケジュールボード１であって、単位ボード２の表示面３は、複数の区切線５で形成された複数の単位区画面６と、該複数のそれぞれの単位区画面６の一方端部に固定文字７が表示された固定文字表示部８と、該固定文字表示部８に隣接して該固定文字表示部８に表示されている固定文字７に対応した変動文字９を表示している表示カード１０を表示できる変動文字表示部１１と、これら固定文字表示部８と変動文字表示部１１を除いた残余の単位区画面６からなる用件表示部１２と、を具備する。【選択図】図２
0003104368.tif 000002
【実用新案登録請求の範囲】
【請求項１】
複数の単位ボードと、該複数の単位ボードの表示面を一方向に向けて一列に順に並べつつ所定方向に移動させることが出来る表示枠とを有するスケジュールボードであって、
前記単位ボードの表示面は、複数の区切線で形成された複数の単位区画面と、該複数のそれぞれの単位区画面の一方端部に固定文字が表示された固定文字表示部と、該固定文字表示部に隣接して該固定文字表示部に表示されている固定文字に対応した変動文字を表示している表示カードを表示できる変動文字表示部と、これら固定文字表示部と変動文字表示部を除いた残余の単位区画面からなる用件表示部と、を具備することを特徴とするスケジュールボード。
【請求項２】
前記単位ボードは、合成樹脂発泡体からなる薄板にコルク薄板を貼り合わせてコルク薄板側を前記表示面としたことを特徴とする請求項１記載のスケジュールボード。
【請求項３】
前記表示枠は、合成樹脂発泡体の薄板から構成されることを特徴とする請求項１又は２のスケジュールボード。
【請求項４】
前記単位ボードは週単位のボードであり、前記固定文字は曜日を示す文字からなり、前記変動文字は固定文字である曜日を示す文字に対応した日付を示す文字からなることを特徴とする請求項１乃至３のいずれかに記載のスケジュールボード。
【請求項５】
前記単位ボードの表示面の側端部にＭＥＭＯ表示部を設けたことを特徴とする請求項１乃至４のいずれかに記載のスケジュールボード。
【考案の詳細な説明】
【技術分野】
【０００１】
この考案は、月や週の変わり目などの様に所定日数の経過に従って移動できるスケジュールボードに関する。
【背景技術】
【０００２】
月や週単位などのスケジュールボードは、多数の人が一見してスケジュールを把握することが出来るので便利であり、多くの会社等の職場で使用されている。この様なボードには、年、月あるいは週単位で、月、週、日(曜日)等の暦の記載と該当日に行うべき事項の書き込み欄がその下方あるいは横に記載されるのが一般的である。この様なスケジュールボードでは月等の単位毎に日付や曜日が最初からボードに印刷して固定したものが多く使用されている（特許文献１、２参照）。更には、パソコンなどのＯＡ機器によるスケジュール管理も盛んに行われている。
【０００３】
【特許文献１】実開平４−４０９６７
【特許文献２】実開平５−１８８６６
【考案の開示】
【考案が解決しようとする課題】
【０００４】
前記のような従来のスケジュールボードであると、日、曜日が一覧的に印刷されているので、その単位月が終了するまで同じスケジュールボードを使用しなくてはならなく、その結果、月の後半以降はすでに過ぎ去った日の必要のないスケジュールが記載された部分が多い状態で無駄なスペースを取っているという問題点がある。この様な問題点を解決するためには、過ぎ去った日の必要のないスケジュールを順次削除し、その削除した分だけ新しい次のスケジュールを順次入れて行けば、１つのスケジュールボードを無駄無く有効活用できるが、従来のスケジュールボードは日、曜日が印刷されているために、更新させることが出来ないという問題点がある。又、従来のスケジュールボードは、木製或いは軽金属板を使用しているので、重くて持ち運びや壁に掛ける際には不便であるという問題点がある。更に又、パソコン等のＯＡ機器によるスケジュール管理では、スケジュールに変更が生じた場合には、その都度データの入れ替えの手数が生じるという問題点がある。
【０００５】
この考案は上記事情に鑑みてなされたものであって、1つのスケジュールボードに表示される不必要な諸情報を無くして有効な情報のみを表示してボードを有効に活用し、更には使い勝手が良い様に軽量にすることを目的とするものである。
【課題を解決するための手段】
【０００６】
上記の目的を達成するために、請求項１の考案は、複数の単位ボードと、該複数の単位ボードの表示面を一方向に向けて一列に順に並べつつ所定方向に移動させることが出来る表示枠とを有するスケジュールボードであって、前記単位ボードの表示面は、複数の区切線で形成された複数の単位区画面と、該複数のそれぞれの単位区画面の一方端部に固定文字が表示された固定文字表示部と、該固定文字表示部に隣接して該固定文字表示部に表示されている固定文字に対応した変動文字を表示している表示カードを表示できる変動文字表示部と、これら固定文字表示部と変動文字表示部を除いた残余の単位区画面からなる用件表示部と、を具備するようにした。
【０００７】
又、請求項２の考案は、前記単位ボードを合成樹脂発泡体からなる薄板にコルク薄板を貼り合わせてコルク薄板側を前記表示面とした。
【０００８】
前記表示枠を合成樹脂発泡体の薄板から構成されることとした。
【０００９】
請求項４の考案は、前記単位ボードが週単位のボードであり、前記固定文字は曜日を示す文字からなり、前記変動文字は固定文字である曜日を示す文字に対応した日付を示す文字からなることとした。
【００１０】
請求項５の考案は、前記単位ボードの表示面の側端部にＭＥＭＯ表示部を設けたこととした。
【考案の効果】
【００１１】
本考案によると、複数の単位ボードの表示面を表示枠内において一方向に向けて一列に順に並べつつ所定方向に移動させることが出来るので、全てが終了した日付のある単位ボードは表示枠から外して残りの単位ボードを空いた箇所へ順に移動させて詰めてゆき、外した単位ボードは新しい日付に変えて移動によって空いた表示枠に入れてゆくことによって、繰り返し何度も使用できる。そしてこの単位ボードは、固定文字が表示された固定文字表示部に隣接して変動文字が表示された表示カードを表示できる変動文字表示部を具備しているので、再使用時には変動文字のみを入れ替えて変動文字表示部で表示することによって、上述のように、一方向に向けて一列に若い日付順に並べて再使用できる。更に、この固定文字表示部及び変動文字表示部のある単位区画面の用件表示部に用件を書いた用件用紙をマッチ針等の係止具で係止することによって、多くの人がその用件用紙を見ることが出来るので、見落としやミスを有効に防止できる。更に、用件が増えても用件用紙を該当する用件表示部に係止してゆくだけでよいので、作業が極めて簡単である。又、用件が終了すれば用件表示部から用件用紙を取り外すことによって、用件に該当する仕事が完了していることを確認できる。加えて、用件用紙の日付が変更になった場合には、マッチ針を外して変更になった箇所へ移動してマッチ針で再固定するだけの作業でよいので、パソコン等のＯＡ機器によるスケジュール管理と較べて作業性が向上する。
【００１２】
請求項２の考案によると、合成樹脂発泡体の薄板とコルク薄板を貼り合わせた単位ボードとしたので、軽量でしかも丈夫な単位ボードを得ることができるのみならず、マッチ針などの係止具で用件用紙を係止するときにマッチ針を突き刺し易く、しかも外れることがないので便利である。加えて、同じ箇所を何度使用しても復元力があり、長期間繰り返し使用できる。
【００１３】
請求項３の考案によると、表示枠が合成樹脂発泡体の薄板から構成されているので、軽量となり、持ち運びや設置が楽になる利点がある。
【００１４】
請求項４の考案によると、単位ボードが週単位に形成されているので、仕事等の区切りが良く、使用に便利である利点がある。
【００１５】
請求項５の考案によると、単位ボードの側端部に設けたＭＥＭＯ表示部に、その単位の月、週などのいずれの日付が確定していない用件用紙を暫定的にマッチ針等で係止することができるので、日付の決まっていない場合には、このＭＥＭＯ表示部を有効に利用出来るので便利である。
【考案を実施するための最良の形態】
【００１６】
この考案の実施形態のスケジュールボード１は、図１乃至４に示すように、複数の単位ボード２と、この複数の単位ボード２の表示面３を一方向に向けて一列に順に並べつつ所定方向に移動させることが出来る表示枠４とからなる。
【００１７】
前記複数の単位ボード２のそれぞれは、図２に示すように、矩形の板材の表示面３に所定の間隔を空けて画かれた複数の区切線５で形成される複数の単位区画面６を有している。これらの単位区画面６の上端部には週の曜日を表す月〜土などの固定文字７が表示された固定文字表示部８と、該固定文字表示部８に隣接して該固定文字表示部８に表示されている上記固定文字７である月〜土に対応した日付数字１〜３１などの変動文字９を表示している表示カード１０を出入自在に収納できる変動文字表示部１１と、これら固定文字表示部８と変動文字表示部１１を除いた残余の単位区画面６からなる用件表示部１２とを具備している。更に、必要に応じて、側端部にＭＥＭＯ表示部１３を区切線５で区切って設けている。
【００１８】
単位ボード２の形状は特に限定されるものではないが、縦長の長方形状の板材が使用し易い。又、裏面側を合成樹脂発泡体からなる薄板２１とし、表示面３側をコルク薄板２２とする二層の薄板を貼り合わせたものから構成した場合には、軽量でしかも強度的にも良好になると共に、表示面３に図３に示すように用件を書いた用件用紙１４をマッチ針１５等で係止する場合にも差し込み易く確実に、しかも繰り返し使用するのに対応できる利点がある。合成樹脂発泡体からなる薄板２１とコルク薄板２２との厚さの比は、合成樹脂発泡体の発泡倍率にもよるが、１０対１程度で全体の厚さは１０mm前後が好適である。合成樹脂発泡体としては発泡スチロールが経済的にも強度的にも好適である。
【００１９】
上記固定文字７は、この実施形態のように、週単位の単位ボード２であれば、月から土又は月から日の様な曜日の文字であるが、月単位の単位ボード２であれば、第１週から第５週のような固定文字７が画かれ、これに対応する変動文字９としては、３〜５、６〜１３、１４〜２１などの日付を示す数値となる。
【００２０】
変動文字９を表示している表示カード１０は、図５に示されるように、想定される変動文字９、上記例では１乃至３１の数字、を表示している表示カード１０であり、これらをあらかじめ必要枚数作成しておく。この表示カード１０の大きさは、変動文字表示部１１に出入れ出来得る大きさである。１つの変動文字表示部１１は、２本の区切線５で囲まれた横巾であり、その縦方向は固定文字表示部８の高さ方向の長さとほぼ同じである透明なアクリルフイルムの上方を除きその他の周囲を貼付けて上方を開口し、上方から表示カード１０を出入自在に収納できるようにしたものである。これによって、月が変わって月〜土の固定文字７に対応する日付が変わった場合には、日付を表示している表示カード１０を入れ替えることが出来るようにしている。変動文字表示部１１はこの実施例に限定されることなく、例えば、表示カード１０をピンで係止したり、単位ボード２に着磁体を混入した場合には磁石で係止したりするなど種々の他の公知手段を採用することが出来る。しかし、繰り返し使用する表示カード１０であるので、この実施形態のように上方が開口した透明部材からなる袋状として上方から出入自在に収納するようにするのが、カードの汚れも少なくまた安定して保持できるので好適である。
【００２１】
用件表示部１２は、図３や図５に示すように、固定文字表示部８及びこれに対応している変動文字表示部１１に該当する日に予定している用件を表示するエリアであり、本実施形態の単位ボード２ではこの用件を書いた用件用紙１４をマッチ針１５で係止するようにしている。この用件用紙１４の横巾は用件表示部１２を形成する２本の区切線５の間隔幅よりも小さくするが、縦巾は特に限定されるものではない。記載する内容は使用目的に応じて適宜選択されるが、物品販売の営業所で利用する場合には、注文先名、品名、数量、希望納期日、直送か否か、注文受者名などである。
【００２２】
前記表示枠４は、複数の単位ボード２の表示面３を一方向に向けて一列に順に並べつつ所定方向にスライド移動させることが出来るものであって、この実施形態においては、図１や図４に示すように、横長な矩形の板材からなる背面板１６の上下端部から一方向に突き出して単位ボード２の上下端部をガイドするガイド部１７を設けたものである。このガイド部１７は下端部においては単位ボード２の下端部を載せてガイドする溝１８が形成されており、上端部においては単位ボード２の上端部が倒れないようにするガイド板１９が設けられたものである。これら表示枠４を構成する背面板１６、ガイド部１７のそれぞれの材質として合成樹脂発泡体の薄板を使用すれば、軽量となり、壁などに容易に係止することが出来る。この場合の合成樹脂発泡体の薄板の厚さは、発泡倍率にもよるが、３乃至１０mm程度の範囲で十分である。材質としては、発泡スチロールが好適である。
【００２３】
尚、この表示枠４の一端側には、複数の単位ボード２の他に必要に応じてメモボード２０が嵌め込まれている。このメモボード２０の材質は軽量で丈夫である単位ボード２と同じであるのが好ましい。
【００２４】
上記の構成からなるこの考案のスケジュールボード１の使用について説明する。月単位のスケジュールボードとして使用する場合には、まず、単にボード２の固定文字表示枠８としては、曜日を表す月〜土の固定文字７を用いる。日曜は必要に応じて入れても良い。そして第１週から第５週までの５枚の単位ボード２を準備し、それぞれの該当単位ボード２の変動文字表示部１１に日付１〜３１の変動文字９を表示した表示カード１０を固定文字表示部８に対応させてゆく。この様な準備が整った後に、表示枠４の端部から日付の若い順に一列となるように単位ボード２を挿入してゆく。日付の若い単位ボード２がある一端側には必要に応じてメモボード２０を嵌め込んでおく。
【００２５】
物品販売用としてこのスケジュールボード１を使用する際、図２乃至図５に示すように顧客からの注文が電話やＦＡＸで届いた時には、その内容を手書き又は所定のフォーマットにパソコンから出力したものからなる用件用紙１４を該当する納品日を示す用件表示部１２にマッチ針１５等の係止具で止める。同じ日に複数の納品がある時はその数だけの用件用紙１４がマッチ針１５で係止される。このようにして、単位ボード２の表示面３に形成されている用件表示部１２には次々とその日にすべき仕事の内容が用件用紙１４に書かれて掲示されるので、多くの人が仕事の内容を見ることができ、納期を間違えたり、注文を失ったりするミスを防止できるのである。用件用紙１４に書かれた仕事が完了した時は、これを単位ボード１から取り外しておく。
【００２６】
その週にすべき仕事ではあるが、日が決まっていない仕事を書いてある用件用紙１４は、その週のＭＥＭＯ表示部１３にマッチ針１５で係止しておき、日付が確定した時点で、該当日の用件表示部１２に移し変えて係止するようにする。同様にその月にすべき仕事であるが日が決まっていない仕事内容を記した用件用紙１４や、翌月、翌々月等来月以降にすべき仕事内容を記した用件用紙１４はメモボード２０にマッチ針１５で係止して、該当月の単位ボード２が表示枠４に入ってきた時にそれを移すようにする。
【００２７】
最も若い日付の記載のある単位ボード２の週が終ると、この単位ボード２を表示枠４から取り除いて他の残りの単位ボード２を取り除いた単位ボード２の空きの部分方向へとスライド移動させる。そして、この移動によって空きが生じた表示枠４の他端側の箇所に、先程取り除いた単位ボード２の変動文字表示部１１の変動文字９を記してある表示カード１０を入れ替えてから、嵌め込んでゆく。このような作業は１週が終了する毎に行ってゆくことによって、表示枠４には常に５週分のスケジュールが表示されることになる。この単位ボード２は１つの表示枠４に５週分で５枚の単位ボード２を使用する場合に限らず、５枚以上又は５枚以下であっても良く、これらは使用目的に応じて適宜選択される。
【産業上の利用可能性】
【００２８】
このようなスケジュールボード１の利用分野としては、前述した物品販売に使用する他、多くの人が見ることが出来る利点を生かして種々の短、中、長期期限管理等に利用することが出来る。
【図面の簡単な説明】
【００２９】
【図１】スケジュールボードの全体正面図
【図２】単位ボードの正面図
【図３】単位ボードの使用状態説明図
【図４】図１のＡ−Ａ線拡大断面説明図
【図５】単位ボードの部分拡大説明図
【図６】図５のＢ−Ｂ線断面図
【符号の説明】
【００３０】
１    スケジュールボード
２    単位ボード
３    表示面
４    表示枠
５    区切線
６    単位区画面
７    固定文字
８    固定文字表示部
９    変動文字
１０    表示カード
１１    変動文字表示部
１２    用件表示部
１７    ガイド部
【図１】
0003104368.tif 000003
【図２】
0003104368.tif 000004
【図３】
0003104368.tif 000005
【図４】
0003104368.tif 000006
【図５】
0003104368.tif 000007
【図６】
0003104368.tif 000008